(57)【要約】    【課題】簡単な構造で床寸法に一致する高さを正確に設定できる高さ方向に調整自在な構造とする。    【解決手段】  床用スリーブ装置１０は、コンクリート打ちされる床位置に配置されて縦方向に配管通し穴を形成するものであり、下側に位置する下スリーブ１２と、上側に位置して下スリーブ１２の外側に摺動自在に装着された上スリーブ１４と、上スリーブ１２の外周面に固着されたナット１６と、下端が下スリーブの外周面に固着され、軸方向にスライド溝を形成した連結金具１８と、下スリーブ１４と上スリーブ１２の間隔を設置する床の厚さに一致するスライド位置に調整した状態で、連結部材１８のスライド溝を介して上スリーブ１２に固着されたナット１６に螺合して連結部材１８を固定する蝶ネジ２４とで構成される。    【選択図】      図１
0003118675.tif 000002
【実用新案登録請求の範囲】
【請求項１】
コンクリート打ちされる床位置に配置されて縦方向に配管通し穴を形成する床用スリーブ装置に於いて、
下側に位置する下スリーブと、
上側に位置し、前記下スリーブの外側に摺動自在に装着された上スリーブと、
前記上スリーブ外周面に固着された一対のナット部材と、
下端が前記下スリーブ外周面に固着され、軸方向にスライド溝を形成した一対の連結部材と、
前記下スリーブの下端と前記上スリーブの上端の間隔を、設置する床の厚さに一致するスライド位置に調整した状態で、前記一対の連結部材のスライド溝を介して前記上スリーブに固着された前記ナット部材に螺合して前記一対の連結部材を固定する一対のネジ部材と、
を備えたことを特徴とする床用スリーブ装置。
【請求項２】
コンクリート打ちされる床位置に配置されて縦方向に配管通し穴を形成する床用スリーブ装置に於いて、
下側に位置する下スリーブと、
上側に位置し、前記下スリーブの外側に摺動自在に装着された上スリーブと、
前記上スリーブ外周面にネジ部を外側にして頭部が固着された一対のボルト部材と、
下端が前記下スリーブの外周面に固着され、軸方向にスライド溝を形成した一対の連結部材と、
前記下スリーブの下端と前記上スリーブの上端の間隔を、設置する床の厚さに一致するスライド位置に調整した状態で、前記一対の連結部材のスライド溝を介して突出した前記ボルト部材のネジ部に螺合して前記一対の連結部材を固定する一対のナット部材と、
を備えたことを特徴とする床用スリーブ装置。
【請求項３】
請求項１又は２記載の床用スリーブ装置に於いて、前記下スリーブの外周軸方向に、前記下スリーブの下端と前記上スリーブの上端の間隔を表すスケールを設けたことを特徴とする床用スリーブ装置。
【請求項４】
請求項３記載の床用スリーブ装置に於いて、前記スケールとして、表面に目盛り表示した粘着テープを前記下スリーブの外周軸方向に貼り付けたことを特徴とする床用スリーブ装置。
【考案の詳細な説明】
【技術分野】
【０００１】
本考案は、ビル工事などで床となる位置に取り付けてコンクリート打ちの際に配管通し穴を縦方向に形成する床用スリーブ装置に関する。
【背景技術】
【０００２】
従来、ビル工事の際には、鉄筋を組んだ際に配管を通す床の部分に円筒形のスリーブを組みつけている。このようなスリーブは薄肉の鉄板で作られており、コンクリート打ちで構築される床の厚さに一致する高さ寸法のスリーブを製造して取り付けるようにしている。
【特許文献１】意匠登録第１０７７１１７号公報
【考案の開示】
【考案が解決しようとする課題】
【０００３】
しかしながら、このような従来の床用スリーブにあっては、施工する建物の床の厚さに一致する高さが必要であり、床の高さは例えば２００ｍｍから６００ｍｍ程度の範囲にあるが、同じ建物であっても、階によって寸法が例えば５ｍｍ単位で相違する場合があり、寸法の異なるスリーブを必要数だけ製造しなければならないという多品種少量生産であり、現場の工事予定に併せて例えば２〜３日単位で製造して納品するような生産形態をとらざるを得ず、長期的な生産計画を立てることは困難であり、現場作業的な製造となるために、製造にかかる工数及び負担が大きな問題となっている。
【０００４】
この問題を解消するためには、特許文献１のように、ネジ溝を形成した一対のスリーブを螺合することで、スリーブの高さを必要に応じて自由に調整できるフレキシブルスリーブも考えられるが、ネジによる螺合では、スリーブを床部分に立てて取り付けた際に、ネジの遊びによる高さ寸法のずれが数ミリ以下の範囲で発生し、床寸法を正確に設定することが難しいという問題がある。
【０００５】
また床用スリーブは薄板金属の押し出し加工などにより外周にネジ溝を形成するため、加工が煩雑であり、また一対のスリーブを螺合した際に、遊びが大きくないと滑らかに回転できず、遊びを大きくすると、設置した際の高さ寸法のずれが大きくなるという問題があり、実用化は困難である。
【０００６】
本考案は、簡単な構造で床寸法に一致する高さを正確に設定できる高さ方向に調整自在な床用スリーブ装置を提供することを目的とする。
【課題を解決するための手段】
【０００７】
この目的を達成するため本考案は次のように構成する。本考案は、コンクリート打ちされる床位置に配置されて縦方向に配管通し穴を形成する床用スリーブ装置であって、
下側に位置する下スリーブと、
上側に位置し、下スリーブの外側に摺動自在に装着された上スリーブと、
上スリーブ外周面に固着された一対のナット部材と、
下端が下スリーブ外周面に固着され、軸方向にスライド溝を形成した一対の連結部材と、
下スリーブの下端と上スリーブの上端の間隔を、設置する床の厚さに一致するスライド位置に調整した状態で、一対の連結部材のスライド溝を介して上スリーブに固着されたナット部材に螺合して一対の連結部材を固定する一対のネジ部材と、
を備えたことを特徴とする。
【０００８】
また本考案の別の形態にあっては、コンクリート打ちされる床位置に配置されて縦方向に配管通し穴を形成する床用スリーブ装置であって、
下側に位置する下スリーブと、
上側に位置し、下スリーブの外側に摺動自在に装着された上スリーブと、
上スリーブ外周面にネジ部を外側にして頭部が固着された一対のボルト部材と、
下端が下スリーブの外周面に固着され、軸方向にスライド溝を形成した一対の連結部材と、
下スリーブの下端と上スリーブの上端の間隔を、設置する床の厚さに一致するスライド位置に調整した状態で、一対の連結部材のスライド溝を介して突出したボルト部材のネジ部に螺合して一対の連結部材を固定する一対のナット部材と、
を備えたことを特徴とする。
【０００９】
ここで、下スリーブの外周軸方向に、下スリーブの下端と上スリーブの上端の間隔を表すスケールを設ける。このスケールとしては、表面に目盛り表示した粘着テープを下スリーブの外周軸方向に貼り付ける。
【考案の効果】
【００１０】
本考案によれば、下スリーブの外側に上スリーブを摺動自在に嵌め入れ、床寸法に一致する高さに調整した状態で、下スリーブに固着している連結部材のスライド溝を介して上スリーブのナット部材（又はボルト部材）にネジ部材（又はナット部材）を螺合して固定することで、簡単且つ正確に高さ寸法を設定することができる。
【００１１】
このようにスリーブ高さ寸法を床寸法に合わせて自由に調整可能としたことで、現場毎に床寸法が異なっても、床寸法を調整範囲に含む床用スリーブ装置を使用すればよく、現場での床寸法に拘束されることなく、製造側が主導で生産計画を立てて製造することができ、多種少量生産の問題を一機に解決することができる。
【００１２】
また下スリーブの外側にスケールを設けたことで、このスケールに上スリーブの下端を合わせることで、床寸法に一致する高さ正確に設定することができ、メジャーなどを別途使用した現場作業が不要であり、例えばミリ単位で床寸法に一致する高さを簡単且つ容易に設定できる。
【考案を実施するための最良の形態】
【００１３】
図１は本考案による床用スリーブ装置の１実施形態を示した説明図であり、図２に側面図を、更に図３に平面図を示す。
【００１４】
図１乃至図３において、本実施形態の床用スリーブ装置１０は下スリーブ１２と上スリーブ１４を備える。上スリーブ１４は下スリーブ１２の外側に軸方向に摺動自在に嵌め込まれている。したがって下スリーブ１２の外形は上スリーブ１４の内径にほぼ一致した寸法を有する。下スリーブ１２、上スリーブ１４は共に薄い金属板で作られている円筒部材である。
【００１５】
本考案の床用スリーブ装置１０にあっては、下スリーブ１２の外側に必ず上スリーブ１４がはまり込む構造としなければならない。これは、コンクリート打ちの際にスリーブの内部に下スリーブ１２と上スリーブ１４の合わせ部分の隙間を通って流れ込むことを防止するためである。なお、下スリーブ１４の外周下端には必要に応じて固定金具２７をスポット溶接で固定している。
【００１６】
上スリーブ１２は図４に取り出して示すように、外周面における径方向に相対した下側の位置に薄型のナット１６を溶接などにより固着している。下スリーブ１２は図５に取り出して示すように、外周面における径方向に相対した下側の位置に一対の連結金具１８をスポット溶接などにより固着している。
【００１７】
連結金具１８は図６に取り出して示すように、軸方向に長い金属板部材であり、軸方向にスライド溝２０を形成し、下端部をＬ字形に屈曲して固定部２２を形成しており、連結金具１８及びスライド溝２０の軸方向の寸法は、固着する下スリーブ１２に摺動自在に嵌め入れる上スリーブ１２の調整高さに応じて決める。
【００１８】
再び図１乃至図３を参照するに、下スリーブ１４に固着した連結金具１８は上スリーブ１２に固着したナット１６の外側に位置し、ナット１６のネジ穴に連結部材１８のスライド溝２０を合わせた状態で外側から蝶ネジ２４を螺合して固定する。蝶ネジ２４はネジ部側に押え部２５を形成しており、ナット１６と押し部２５との間に連結部材１８を挟み込み固定する。
【００１９】
なお、連結部材１８の蝶ネジ２４の螺合で挟み込み固定するスライド溝２０の両側の部分には、固定状態での動きを阻止するため、ローレットなどによる刻みを設けても良い。
【００２０】
下スリーブ１２の外周の軸方向にはスケール２８が設けられている。スケール２８としては、例えば白い粘着テープの表面に目盛り３０を表示したものを貼り付けている。
【００２１】
このような構造を有する本考案の床用スリーブ装置１０にあっては、設置場所の床寸法が床面３１から床裏面３２までの間隔Ｄ１であった場合、この床の間隔Ｄ１に一致するように下スリーブ１２に対し蝶ネジ２４を緩めた状態で上スリーブ１４の摺動位置を調整する。
【００２２】
この摺動位置の調整は下スリーブ１２のスケール２８の目盛り３０を使用して行うことができる。スケール２８の目盛り３０には上スリーブ１４の下端部１４ｂをカーソル位置として目盛りに寸法を合わせることで、上スリーブ１４の上端部１４ａと下スリーブ１２の下端部１２ｂの間隔Ｄ１を決めることができる。
【００２３】
したがって目盛り３０について床面の厚さＤ１で与えられる寸法と目盛り３０の目盛り位置となるように上スリーブ１４の下端部１４ｂを合わせることで、床の寸法に対応した高さＤ１を床用スリーブ装置１０に設定することができる。
【００２４】
このようにして目盛り３０を使用した下スリーブ１２と上スリーブ１４の高さ調整が済んだならば、その状態で蝶ネジ２４を連結金具１８のスライド溝２０を介して上スリーブ１２に固着したナット１６のネジ穴に螺合すると、連結金具１８が蝶ネジ２４の押し部２５とナット１６との間に挟み込み固定され、連結金具１８を介して下スリーブ１２と上スリーブ１４を調整された高さに固定することができる。
【００２５】
通常、床用スリーブ装置を設ける床の厚さは２００ｍｍ〜６００ｍｍの範囲にあることから、例えば上スリーブ１４と下スリーブ１２の調整間隔の最大長と最小長の中間寸法を例えば２００ｍｍ，３００ｍｍ，４００ｍｍ，５００ｍｍの４種類とし、調整可能な寸法を基準高さの±５０％とすることで次のような床寸法範囲の調整が可能である。
（１）基準寸法２００ｍｍ±１００ｍｍ＝１００ｍｍ〜３００ｍｍ
（２）基準寸法３００ｍｍ±１５０ｍｍ＝１５０ｍｍ〜４５０ｍｍ
（３）基準寸法４００ｍｍ±２００ｍｍ＝２００ｍｍ〜６００ｍｍ
（４）基準寸法５００ｍｍ±２５０ｍｍ＝２５０ｍｍ〜７５０ｍｍ
【００２６】
もちろん、この基準寸法と寸法調整範囲は一例であり必要に応じて適宜の調整範囲を設定することができる。また調整寸法範囲は、各範囲に応じて長さの異なる連結金具１８を準備するだけで良い。
【００２７】
図７は本考案による床用スリーブ装置の他の実施形態を示した説明図である。図７の実施形態にあっては、図１乃至図３の実施形態で上スリーブ１２に固着していたナット１６を、この実施形態ではボルト３４に置き換えたことを特徴とする。ボルト３４は薄型の頭部をもち、頭部を上スリーブ１２の外周面の径方向の相対する位置にネジ部３４ａを外側に向けて溶接により固着している。
【００２８】
連結部材１８を固着した下スリーブ１４は図１乃至図３の実施形態と同じであり、下スリーブ１４の外側に上スリーブ１２を嵌め入れた状態で、上スリーブ１２に固着しているボルト３４のネジ部３４ａに連結金具１８のスライド溝（図６参照）を嵌め入れ、高さ調整した状態でネジ部３４ａに蝶ナット３６を螺合して固定する。蝶ナット３６は押し部３８を一体に備えており、ネジ部３４ａへの螺合でボルト３４の頭部と押し部３８との間に連結金具１８を挟み込み固定する。
【００２９】
なお、図７の実施形態にあっては、上スリーブ１２に固着しているボルト３４のネジ部３４ａにスライド溝２０を嵌め入れる際に連結部材１８を湾曲させる必要があるが、これを回避するため、図７の実施例で使用する図６の連結部材１６のスライド溝２０を上方に開口したスライド溝としても良い。
【００３０】
また、上記の実施形態にあっては、連結金具１８の固定を工具を使用せずにネジ込み固定できるように蝶ネジ２４を使用しているが、蝶ネジ２４は飛び出し量が多く、またコスト的にも高いことから通常のドライバでネジ込むビスやボルトを使用しても良い。
【００３１】
またスケール２８は下スリーブ１２の外周の相対する２箇所に設けることで、調整寸法の精度を高めるようにしても良い。
【００３２】
また本考案はその目的と利点を損なうことのない適宜の変形を含み、更に上記の実施形態に示した数値による限定は受けない。
【図面の簡単な説明】
【００３３】
【図１】本考案による床用スリーブ装置の一実施形態を示した説明図
【図２】図１の側面図
【図３】図１の平面図
【図４】図１の上スリーブを取出して示した説明図
【図５】図１の下スリーブを取出して示した説明図
【図６】図１の連結金具を取出して示した説明図
【図７】本考案による床用スリーブ装置の他の実施形態を示した説明図
【符号の説明】
【００３４】
１０：床用スリーブ装置
１２：下スリーブ
１２ａ，１４ａ：上端部
１２ｂ，１４ｂ：下端部
１４：上スリーブ
１６：ナット
１８：連結金具
２０：スライド溝
２２：固定部
２４：蝶ネジ
２５，３８：押し部
２６：固定金具
２８：スケール
３０：目盛り
３１：床面
３２：床裏面
３４：ボルト
３４ａ：ネジ部
３６：蝶ナット
【図１】
0003118675.tif 000003
【図２】
0003118675.tif 000004
【図３】
0003118675.tif 000005
【図４】
0003118675.tif 000006
【図５】
0003118675.tif 000007
【図６】
0003118675.tif 000008
【図７】
0003118675.tif 000009